(57)【要約】【課題】液晶表示装置において、液晶ディスプレイに関する調整値の調整を行う際に、作業員の手間を低減し、生産効率を向上させ、生産コストを低減する。【解決手段】液晶ＴＶ受像機は、ＵＳＢメモリからファイルを読み出し（Ｓ２）、「Ａｖｅｒａｇｅ．ａｖｅ」ファイルが記録されていない場合（Ｓ３でＮＯ）、作業者による調整に基くＬＣＤ調整値をＵＳＢメモリに書込む（Ｓ６）。そして、液晶ＴＶ受像機は、ＵＳＢメモリに所定個数のファイルが記録された場合（Ｓ７でＹＥＳ）、ファイルを全て読み出し（Ｓ８）、格納されている調整値に基づき、平均調整値を算出し（Ｓ９）、「Ａｖｅｒａｇｅ．ａｖｅ」ファイルをＵＳＢメモリに書込む（Ｓ１０）。一方、ＵＳＢメモリに「Ａｖｅｒａｇｅ．ａｖｅ」ファイルが既に記録されている場合（Ｓ３でＹＥＳ）、このファイルを読み出し（Ｓ１１）、自装置のＬＣＤ調整値を、平均調整値に設定する（Ｓ１２）。【選択図】図４
2011112907.tif 000002
【特許請求の範囲】
【請求項１】
外部記録媒体を接続可能な接続部と、
映像を表示する液晶ディスプレイと、
前記液晶ディスプレイに関する各種の調整値を記憶する調整値記憶手段と、
前記接続部に接続された前記外部記録媒体からデータを読み出すためのデータ読み出し手段と、
前記調整値記憶手段に記憶された前記調整値を任意の値に変更するように制御する制御手段とを備える液晶表示装置において、
前記外部記録媒体に、複数の前記液晶表示装置の前記調整値の平均値（以下、平均調整値という）が記録されている場合、
前記制御手段は、
自装置の前記調整値の調整を行うときに、前記データ読み出し手段を用いて、前記接続部に接続された前記外部記録媒体から前記平均調整値を読み出した後、前記調整値記憶手段に記憶された前記調整値を、読み出した該平均調整値に変更することを特徴とする液晶表示装置。
【請求項２】
前記接続部に接続された前記外部記録媒体にデータを書き込むためのデータ書込み手段をさらに備え、
前記外部記録媒体に、前記平均調整値が記録されていない場合、
前記制御手段は、
自装置の前記調整値の調整時に、前記調整値記憶手段に記憶された前記調整値を、作業者によって設定された値に変更した後、前記データ書込み手段を用いて、前記接続部に接続された前記外部記録媒体に、変更された該調整値を書込み、
前記外部記録媒体に所定の個数以上の前記調整値が記録されたとき、該外部記録媒体に記録されている複数の前記調整値に基づき、前記平均調整値を算出し、算出した該平均調整値を前記外部記録媒体に記録することを特徴とする請求項１に記載の液晶表示装置。
【発明の詳細な説明】
【技術分野】
【０００１】
本発明は、液晶ディスプレイの調整値を記憶する液晶表示装置に関する。
【背景技術】
【０００２】
従来から、液晶ディスプレイを備える液晶テレビジョン（以下、液晶ＴＶという）受像機は、生産時に、作業者によって液晶ディスプレイのホワイトバランス等の初期設定作業が行われた後、初期設定された調整値を初期値として記憶して出荷される。作業者による上記初期設定作業は、予め調整値が設定されていない状態、つまり、適切な調整値に近い調整値が設定されていない状態から開始されるため、初期設定作業に時間が掛かり、液晶ＴＶ受像機の生産効率が悪いという問題がある。
【０００３】
これに対して、特許文献１には、電子機器の生産管理に供される設定情報の初期値をシリアル番号と対応付けてＵＳＢメモリに記憶し、生産時に、ＵＳＢメモリを電子機器に装着して、ＵＳＢメモリから該当するシリアル番号の設定情報を読み出し、電子機器の設定保存部に初期値として書き込む生産管理方法が開示されている。しかしながら、この生産管理方法では、予めシリアル番号と、このシリアル番号に対応する初期値とを対応させてＵＳＢメモリに記憶する必要があるため、手間が掛かり、上記問題を解決できない。
【０００４】
また、特許文献２には、平均的な初期値が書き込まれた不揮発性メモリを備え、電源投入時に、平均的な初期値を用いて初期設定がなされるテレビジョン受像機が開示されている。しかしながら、このテレビジョン受像機では、適切な調整値について機種毎にバラツキがある場合であっても、一律の初期値が設定されてしまうため、適切な調整値を設定するために必要な作業員の手間を十分に低減することができず、上記問題を解決できない。
【０００５】
ところで、特許文献３には、１時間毎のゲイン制御量の平均値を算出し、電源を再投入する時に、平均値を電源再投入時における音量制御手段の初期値とし自動設定するテレビジョン受像機が開示されている。しかしながら、このテレビジョン受像機は、調整値の初期設定を行うものではないため、上記問題を解決できない。
【先行技術文献】
【特許文献】
【０００６】
【特許文献１】特開２００７−２８０２４０号公報
【特許文献２】特開昭６１−９５６２９号公報
【特許文献３】特開平４−１０８７５号公報
【発明の概要】
【発明が解決しようとする課題】
【０００７】
本発明は、上述した問題点を解決するためになされたものであり、工場出荷時における液晶ディスプレイの調整を行う際に、作業員の手間を低減でき、生産効率を向上させると共に、生産コストの低減が可能である液晶表示装置を提供することを目的とする。
【課題を解決するための手段】
【０００８】
上記目的を達成するために請求項１の発明は、外部記録媒体を接続可能な接続部と、映像を表示する液晶ディスプレイと、前記液晶ディスプレイに関する各種の調整値を記憶する調整値記憶手段と、前記接続部に接続された前記外部記録媒体からデータを読み出すためのデータ読み出し手段と、前記調整値記憶手段に記憶された前記調整値を任意の値に変更するように制御する制御手段とを備える液晶表示装置において、前記外部記録媒体に、複数の前記液晶表示装置の前記調整値の平均値（以下、平均調整値という）が記録されている場合、前記制御手段は、自装置の前記調整値の調整を行うときに、前記データ読み出し手段を用いて、前記接続部に接続された前記外部記録媒体から前記平均調整値を読み出した後、前記調整値記憶手段に記憶された前記調整値を、読み出した該平均調整値に変更するものである。
【０００９】
請求項２に記載の発明は、請求項１に記載の液晶表示装置において、前記接続部に接続された前記外部記録媒体にデータを書き込むためのデータ書込み手段をさらに備え、前記外部記録媒体に、前記平均調整値が記録されていない場合、前記制御手段は、自装置の前記調整値の調整時に、前記調整値記憶手段に記憶された前記調整値を、作業者によって設定された値に変更した後、前記データ書込み手段を用いて、前記接続部に接続された前記外部記録媒体に、変更された該調整値を書込み、前記外部記録媒体に所定の個数以上の前記調整値が記録されたとき、該外部記録媒体に記録されている複数の前記調整値に基づき、前記平均調整値を算出し、算出した該平均調整値を前記外部記録媒体に記録するものである。
【発明の効果】
【００１０】
本発明によれば、自装置の液晶ディスプレイの調整を行うときに、外部記録媒体から、複数の液晶表示装置の調整値の平均値（平均調整値）を読み出した後、自装置に記憶された調整値を、読み出した平均調整値に変更する。そのため、作業者は、予め平均調整値が調整値に設定された後に、調整値を適切な値に調整するための初期設定作業を行うことができるので、初期設定作業が容易となり、作業者の手間を低減でき、生産効率の向上及び生産コストの低減が可能である。
【００１１】
また、自装置の液晶ディスプレイに関する調整値を、複数の液晶表示装置の調整値の平均値（平均調整値）に変更するので、液晶ディスプレイの機種やロット毎の特性による調整値のバラツキを抑制することができ、信頼性の高い平均調整値を調整値とすることができる。従って、作業者の手間をさらに低減でき、生産効率の向上及び生産コストの低減がさらに可能である。
【図面の簡単な説明】
【００１２】
【図１】本発明の一実施形態に係る液晶テレビジョン受像機を示す斜視図。
【図２】上記液晶テレビジョン受像機の内部構成を示すブロック図。
【図３】上記液晶テレビジョン受像機におけるＬＣＤ調整値の内容の一例を示す説明図。
【図４】上記液晶テレビジョン受像機におけるＬＣＤ調整値の初期設定処理の手順を示すフローチャート。
【図５】上記液晶テレビジョン受像機における平均調整値の内容の一例を示す説明図。
【図６】上記調整値の設定処理におけるファイル名生成処理の手順を示すフローチャート。
【発明を実施するための形態】
【００１３】
以下、本発明の一実施形態に係る液晶テレビジョン受像機（液晶表示装置）について、図１乃至図３を参照して説明する。図１は、液晶テレビジョン（以下、液晶ＴＶという）受像機１の外観を示し、図２は、液晶ＴＶ受像機１の内部構成を示す。図３は、後述するＬＣＤ調整値１６ｂの内容の一例を示す。液晶ＴＶ受像機１は、ＵＳＢ（Ｕｎｉｖｅｒｓａｌ  Ｓｅｒｉａｌ  Ｂｕｓ）メモリ（外部記録媒体）２を接続可能なＵＳＢポート（接続部）１３を備え、ユーザや作業者による操作部１４の指示操作に基づいて動作を行う。
【００１４】
液晶ＴＶ受像機１は、ＴＶ番組等のコンテンツの映像を表示する液晶ディスプレイ１１と、ＴＶ番組等のコンテンツの音声を出力するスピーカ１２と、ＵＳＢ規格に従う接続端子２１を有するＵＳＢメモリ２を接続するためのＵＳＢポート１３と、ユーザや作業者によって操作されるボタン等を有する操作部１４とを備える。また、ＴＶ受像機１は、放送局から放送されるＴＶ放送信号に基づくＴＶ番組を受信するチューナ１５と、各種情報が記憶されるメモリ（調整値記憶手段）１６と、装置各部を制御するための制御部（制御手段）１７とをさらに備える。
【００１５】
液晶ディスプレイ１１は、液晶ディスプレイパネル（図示せず）と、このパネルを駆動する駆動部（図示せず）等から構成される。メモリ１６は、制御部１７を動作させるためのプログラム１６ａと、ＬＣＤ調整値（調整値）１６ｂとを記憶する。ＬＣＤ調整値１６ｂは、液晶ディスプレイ１１に関する明るさやホワイトバランス等の各種の調整値を含むものである。ＬＣＤ調整値１６ｂの内容は、具体的には例えば、図３に示すように、カットオフする赤色（ＣＯＲ）、カットオフする緑色（ＣＯＧ）、カットオフする青色（ＣＯＢ）、赤色のゲイン調整値（ＤＲ）、緑色のゲイン調整値（ＤＧ）、青色のゲイン調整値（ＤＢ）のそれぞれに対応するパラメータ等の各種調整値を含むものである。
【００１６】
制御部１７は、プログラム１６ａ等を実行するＣＰＵ１７ａと、取得したデータ等を一時的に記憶する揮発性のＤＲＡＭ（Ｄｙｎａｍｉｃ  Ｒａｎｄｏｍ  Ａｃｃｅｓｓ  Ｍｅｍｏｒｙ）１７ｂと、データアクセス部（データ読み出し手段、データ書込み手段）１７ｃとを有する。制御部１７は、ＵＳＢポート１３に接続される外部機器やＵＳＢメモリ２からデータを読み出す処理や、ＬＣＤ調整値１６ｂの値を調整する調整モード時の処理を行う。具体的には例えば、制御部１７は、調整モードで動作する場合に、ＵＳＢメモリ２から読み出した値を用いて、ＬＣＤ調整値１６ｂを設定することができる。また、制御部１７は、調整モードで動作する場合に、ユーザや作業者による操作部１４の操作に応じて、ＬＣＤ調整値１６ｂを設定することもできる。
【００１７】
データアクセス部１７ｃは、ＵＳＢポート１３に接続されたＵＳＢメモリ２に対してデータの読み出しや書き込みを行う。
【００１８】
次に、液晶ＴＶ受像機１におけるＬＣＤ調整値１６ｂの初期設定処理について、図４及び図５を参照して説明する。図４は、ＬＣＤ調整値１６ｂの初期設定処理の手順を示すフローチャートである。図５は、後述する平均調整値の内容の一例を示す。ここでは、平均調整値が格納されるファイルをテキストファイルである「Ａｖｅｒａｇｅ．ａｖｅ」とする。また、制御部１７は調整モードで動作しているものとする。
【００１９】
まず、作業者によってＵＳＢメモリ２がＵＳＢポート１３に接続されると（Ｓ１）、制御部１７は、データアクセス部１７ｃを用いて、ＵＳＢメモリ２内に記録されているファイルを読み出す（Ｓ２）。ＵＳＢメモリ２内に「Ａｖｅｒａｇｅ．ａｖｅ」ファイルが記録されていない場合は（Ｓ３でＮＯ）、作業者が液晶ディスプレイ１１に関する調整値の初期設定作業を行い、制御部１７は、作業者によって調整された調整値をＬＣＤ調整値１６ｂに設定する（Ｓ４）。
【００２０】
そして、制御部１７は、ＬＣＤ調整値１６ｂを格納するためのファイルのファイル名生成処理を行い（Ｓ５）、データアクセス部１７ｃを用いて、生成したファイル名のファイルにＬＣＤ調整値１６ｂの内容を格納し、このファイルをＵＳＢメモリ２に書込む（Ｓ６）。
【００２１】
そして、制御部１７は、ＵＳＢメモリ２内に所定個数、例えば１００個のファイルが記録された場合（Ｓ７でＹＥＳ）、データアクセス部１７ｃを用いて、ＵＳＢメモリ２内に記録されているＬＣＤ調整値１６ｂが格納されたファイルをすべて読み出す（Ｓ８）。ここで、所定個数のファイルが記録されたか否かの判断は、例えば、ＵＳＢメモリ２に上記Ｓ６において、書込むファイルのファイル名が１００個目である旨を示す「Ａｄｊｕｓｔｍｅｎｔ１００．ａｄｊ」である場合、ＵＳＢメモリ２内に１００個（所定個数）のファイルが記録されたと判断してもよい。
【００２２】
そして、制御部１７は、読み出したすべてのファイルに格納されているＬＣＤ調整値１６ｂに基づき、平均値（以下、平均調整値という）を算出し（Ｓ９）、「Ａｖｅｒａｇｅ．ａｖｅ」ファイルに平均調整値を格納して、データアクセス部１７ｃを用いて、このファイルをＵＳＢメモリ２に書込む（Ｓ１０）。
【００２３】
平均調整値は、具体的には例えば、図５に示すように、カットオフする赤色（ＣＯＲ）、カットオフする緑色（ＣＯＧ）、カットオフする青色（ＣＯＢ）、赤色のゲイン調整値（ＤＲ）、緑色のゲイン調整値（ＤＧ）、青色のゲイン調整値（ＤＢ）のそれぞれに対応するパラメータの平均調整値等を含むものである。
【００２４】
一方、上記Ｓ２の処理の結果、ＵＳＢメモリ２内に「Ａｖｅｒａｇｅ．ａｖｅ」ファイルが既に記録されている場合（Ｓ３でＹＥＳ）、すなわち、既に平均調整値が算出されている場合、制御部１７は、データアクセス部１７ｃを用いて、ＵＳＢメモリ２から「Ａｖｅｒａｇｅ．ａｖｅ」ファイルを読み出す（Ｓ１１）。そして、制御部１７は、ＬＣＤ調整値１６ｂを、「Ａｖｅｒａｇｅ．ａｖｅ」ファイルに格納されている平均調整値の値に変更して設定する（Ｓ１２）。そして、作業者が液晶ディスプレイ１１に関する初期設定作業（微調整）を行い、制御部１７は、作業者によって調整された各種の調整値をＬＣＤ調整値１６ｂに反映する（Ｓ１３）。
【００２５】
また、上記Ｓ６の処理後、ＵＳＢメモリ２内に所定個数のファイルが記録されていない場合（Ｓ７でＮＯ）、上記Ｓ８以降の処理は行わない。
【００２６】
次に、上記ファイル名生成処理の詳細について、図６に示すフローチャートを参照して説明する。まず、ＵＳＢメモリ２内に「Ａｄｊｕｓｔｍｅｎｔ＊．ａｄｊ」（＊は１以上の任意の数字を示す）というファイル名のファイルが記録されている場合（Ｓ２１でＹＥＳ）、制御部１７は、最も大きな数字が付与された「Ａｄｊｕｓｔｍｅｎｔ＊」の「＊」の数字に１を加算して（Ｓ２２）、新しいファイル名「Ａｄｊｕｓｔｍｅｎｔ＊．ａｄｊ」を生成する（Ｓ２３）。
【００２７】
具体的には例えば、現在、最も大きな数字が付与されたファイルが「Ａｄｊｕｓｔｍｅｎｔ１０．ａｄｊ」である場合（Ｓ２１に相当）、「１０」＋「１」の加算結果である「１１」を用いて（Ｓ２２に相当）、「Ａｄｊｕｓｔｍｅｎｔ１１．ａｄｊ」というファイル名を生成する（Ｓ２３に相当）。
【００２８】
一方、ＵＳＢメモリ２内に「Ａｄｊｕｓｔｍｅｎｔ＊．ａｄｊ」ファイルが記録されていない場合（Ｓ２１でＮＯ）、制御部１７は、「Ａｄｊｕｓｔｍｅｎｔ１．ａｄｊ」というファイル名を生成する（Ｓ２４）。
【００２９】
上述したように、本実施形態に係る液晶ＴＶ受像機１によれば、液晶ディスプレイ１１の調整を行うときに、制御部１７は、ＵＳＢメモリ２から、複数の液晶ＴＶ受像機１のＬＣＤ調整値１６ｂの平均値（平均調整値）を読み出した後、自装置１に記憶されたＬＣＤ調整値１６ｂを、読み出した平均調整値に変更して設定する。そのため、作業者は、予め平均調整値がＬＣＤ調整値１６ｂに設定された後に、ＬＣＤ調整値１６ｂの初期設定作業を行うことができるので、初期設定作業が容易となり、作業者の手間を低減でき、液晶ＴＶ受像機１の生産効率の向上及び生産コストの低減が可能である。
【００３０】
また、液晶ＴＶ受像機１の液晶ディスプレイ１１に関するＬＣＤ調整値１６ｂを、複数の液晶ＴＶ受像機１の調整値の平均調整値に変更するので、液晶ディスプレイ１１の機種やロット毎の特性によるＬＣＤ調整値１６ｂのバラツキを抑制することができ、信頼性の高い平均調整値をＬＣＤ調整値１６ｂとすることができる。従って、作業者の手間をさらに低減でき、液晶ＴＶ受像機１の生産効率の向上及び生産コストの低減がさらに可能である。
【００３１】
なお、本発明は、上記実施形態の構成に限られず、発明の趣旨を変更しない範囲で種々の変形が可能である。例えば、上記の実施形態において、ファイル名に基づいて、ＵＳＢメモリ２に所定個数のファイルが記録されているか否かを判断する例を示したが、これに限られず、ＵＳＢメモリ２に記録されているファイルの個数に基づいて判断してもよい。また、上記実施形態では、請求項における外部記録媒体がＵＳＢメモリである場合の例を示したが、外部記録媒体はこれに限られず、例えばＳＤカード等のデータを読み書き可能な記録媒体であればよい。
【符号の説明】
【００３２】
１  液晶テレビジョン受像機（液晶表示装置）
２  ＵＳＢメモリ（外部記録媒体）
１１  液晶ディスプレイ
１３  ＵＳＢポート（接続部）
１５  チューナ
１６  メモリ（調整値記憶手段）
１７  制御部（制御手段）
１６ｂ  ＬＣＤ調整値（調整値）
１７ｃ  データアクセス部（データ読み出し手段、データ書込み手段）
【図１】
2011112907.tif 000003
【図２】
2011112907.tif 000004
【図３】
2011112907.tif 000005
【図４】
2011112907.tif 000006
【図５】
2011112907.tif 000007
【図６】
2011112907.tif 000008